(57)【特許請求の範囲】
【請求項１】
一端にセット穴が形成されるとともに、他端にバンド穴が一定の間隔をもって複数形成されたリストバンドを環状に巻き止めるリストバンド用クリップにおいて、ヒンジ部で連結されるとともに、該ヒンジ部で折り畳まれて前記リストバンドを上下方向から挟み込む一対の基体と、一方の基体に前記バンド穴と同じ間隔をもって形成され、前記リストバンドに形成されたセット穴及びバンド穴に通される一対の突起部と、前記ヒンジ部で折り畳まれた一対の基体を互いに繋ぎ止めるロック手段と、からなり、前記突起部が形成された一方の基体には、前記リストバンドと同じ幅の凹部が形成され、該凹部内に前記突起部が形成されるとともに、該凹部内に前記リストバンドが嵌め込まれ、さらに、前記ロック手段は、一方の基体に形成され、先端に拡径部を有するピンと、他方の基体に形成され、前記ピンが嵌入されるピン穴と、前記ピン穴の内周に張り出して形成された複数の逆止片と、からなり、前記一対の基体を前記ヒンジ部で折り畳むと、一方の基体に形成されたピンが他方の基体に形成されたピン穴に嵌合され、該ピン穴内で前記拡径部が前記逆止片に係合されて抜け止めされることを特徴とするリストバンド用クリップ。
【発明の詳細な説明】
【０００１】
【発明の属する技術分野】
本発明はリストバンド用クリップに係り、特に病院で患者の手首や足首などに巻き付けて使用されるリストバンドを環状に巻き止めるリストバンド用クリップに関する。
【０００２】
【従来の技術】
近年、病院では患者の取り違えミスを防止するために、患者の名前や年齢、血液型といった患者固有の識別データを表示したリストバンドを患者の手首や足首に取り付けることが行われている。
【０００３】
一般にリストバンドは帯状に形成されており、これを手首等に巻き付けて両端部をクリップで止めるようにされている。クリップは、オスクリップとメスクリップとで構成されており、オスクリップに形成されたボスをリストバンドの両端部に形成された穴に挿入し、これにメスクリップに形成された止穴を嵌め合わせてリストバンドを環状に巻き止める。
【０００４】
【発明が解決しようとする課題】
しかしながら、従来のクリップは、リストバンドに形成された穴にボスを通して止めるだけの構成のため、ボスを軸にリストバンドが揺れ動き、装着感が悪いという欠点があった。
【０００５】
また、従来のクリップは、ボスを止穴に嵌め合わせて止めるだけの構成のため、簡単に外れてしまうという欠点があった。一方、病院などではリストバンドが簡単に外れてしまうと、医療過誤の原因にもなりかねないため、一度取り付けたら、ハサミ等で切断しない限り、取り外せない構造とすることが必要となる。
【０００６】
本発明は、このような問題に鑑みてなされたもので、装着感に優れ、外れにくいリストバンド用クリップを提供することを目的とする。
【０００７】
【課題を解決するための手段】
請求項１に係る発明は、前記目的を達成するために、一端にセット穴が形成されるとともに、他端にバンド穴が一定の間隔をもって複数形成されたリストバンドを環状に巻き止めるリストバンド用クリップにおいて、ヒンジ部で連結されるとともに、該ヒンジ部で折り畳まれて前記リストバンドを上下方向から挟み込む一対の基体と、一方の基体に前記バンド穴と同じ間隔をもって形成され、前記リストバンドに形成されたセット穴及びバンド穴に通される一対の突起部と、前記ヒンジ部で折り畳まれた一対の基体を互いに繋ぎ止めるロック手段と、からなり、前記突起部が形成された一方の基体には、前記リストバンドと同じ幅の凹部が形成され、該凹部内に前記突起部が形成されるとともに、該凹部内に前記リストバンドが嵌め込まれ、さらに、前記ロック手段は、一方の基体に形成され、先端に拡径部を有するピンと、他方の基体に形成され、前記ピンが嵌入されるピン穴と、前記ピン穴の内周に張り出して形成された複数の逆止片と、からなり、前記一対の基体を前記ヒンジ部で折り畳むと、一方の基体に形成されたピンが他方の基体に形成されたピン穴に嵌合され、該ピン穴内で前記拡径部が前記逆止片に係合されて抜け止めされることを特徴とするリストバンド用クリップを提供する。
【０００８】
本発明によれば、リストバンドは一対の突起部を二つのバンド穴に通して巻き止められる。これにより、グラツキやガタツキを生じさせることなく、しっかりとリストバンドを手首等に巻き付けることができ、装着者に不快感を与えることがない。
【００１０】
本発明によれば、突起部が通されたリストバンドを基体に形成された凹部に嵌め込むことにより、より確実にグラツキやガタツキを防止できる。
【００１２】
本発明によれば、一対の基体をヒンジ部で折り畳むと、一方の基体に形成されたピンが他方の基体に形成されたピン穴に嵌合する。ピン穴に嵌合されたピンは、ピン穴内に形成された逆止片に先端の拡径部が係合されて逆止め、すなわち抜けが防止される。これにより、一度基体を折り畳むと、取り外しができないように一体的に繋ぎとめられる。
【００１３】
【発明の実施の形態】
以下、添付図面に従って本発明に係るリストバンド用クリップの好ましい実施の形態について詳説する。
【００１４】
図１、図２、図３は、それぞれ本発明に係るリストバンド用クリップの一実施形態を示す斜視図、正面図、平面図であり、図４、図５は、それぞれ図３のＡ−Ａ断面図、Ｂ−Ｂ断面図である。
【００１５】
同図に示すように、本実施の形態のリストバンド用クリップ１０は、オスクリップ１２とメスクリップ１４とで構成されている。オスクリップ１２とメスクリップ１４は、共に合成樹脂材によって扁平な楕円形状に形成されており、ヒンジ部１６で連結されて一体的に成形されている。そして、ヒンジ部１６で折り畳むことにより、オスクリップ１２の上面をメスクリップ１４で閉じるように構成されている。
【００１６】
オスクリップ１２の上面には、ヒンジ部１６と平行に溝状の凹部１８が形成されている。この凹部１８は、後述するリストバンド３０の幅Ｄと同じ幅で形成されており、その内側にはリストバンド３０に形成されたセット穴３８とバンド穴４０に通される一対のボス２０Ａ、２０Ｂが突出して形成されている。このボス２０Ａ、２０Ｂは、バンド穴４０の形成間隔Ｐと同じ間隔で形成されており、図５に示すように、その先端部に断面半円形状の爪部２０ａ、２０ｂが形成されている。
【００１７】
一方、メスクリップ１４には、オスクリップ１２に形成された凹部１８に嵌合される凸部２２が形成されている。凸部２２には一対のボス収容穴２４Ａ、２４Ｂが形成されており、凸部２２が凹部１８に嵌合されると、この一対のボス収容穴２４Ａ、２４Ｂに凹部１８に形成された一対のボス２０Ａ、２０Ｂが収容される。
【００１８】
また、メスクリップ１４にはロック用のピン２６が形成されており、オスクリップ１２には、このピン２６が嵌合されるピン穴２８が形成されている。リストバンド用クリップ１０は、図６に示すように、ヒンジ部１６で折り畳むと、メスクリップ１４に形成されたピン２６が、オスクリップ１２に形成されたピン穴２８に嵌合されて、折り畳まれた状態で繋ぎ止められる。
【００１９】
このメスクリップ１４に形成されたピン２６は、角柱状に形成された軸部２６Ａと、その軸部２６Ａの先端に一体的に成形された断面半円形状の拡径部２６Ｂとで構成されている。
【００２０】
一方、オスクリップ１２に形成されたピン穴２８は矩形の貫通穴として形成されており、その入口部２８ａには、板状に形成された一対の逆止片２８Ａ、２８Ａが内側に張り出して形成されている。この一対の逆止片２８Ａ、２８Ａは、互いに対向するように配置されており、入口部２８ａから出口部に向けて所定の傾斜をもって配置されている。
【００２１】
上述したように、オスクリップ１２はヒンジ部１６で折り畳むと、メスクリップ１４に形成されたピン２６がオスクリップ１２に形成されたピン穴２８に嵌入されて、両者が繋ぎ止められる。この際、ピン２６はピン穴２８の内側に張り出された逆止片２８Ａ、２８Ａを拡径部２６Ｂで押し広げながら嵌入され、逆止片２８Ａ、２８Ａは拡径部２６Ｂが通過すると、その弾性復元力で縮径し、拡径部２６Ｂの上側に嵌まり込む。この結果、ピン２６をピン穴２８から抜こうとすると、拡径部２６Ｂが逆止片２８Ａ、２８Ａに引っ掛かり、抜けが防止される。また、この状態でピン２６を無理に引き抜こうとすると、逆止片２８Ａ、２８Ａの先端が拡径部２６Ｂに押されて縮径し、この縮径した逆止片２８Ａ、２８Ａにピン２６の軸部２６Ａが両側から締め付けられて、より強固に抜けが防止される。
【００２２】
図７は、本実施の形態のリストバンド用クリップ１０によって巻き止められるリストバンド３０の斜視図である。同図に示すように、リストバンド３０は、一部が幅広に形成されており、この幅広に形成され表示部３２に所定の情報（ここでは、患者名、科名、病棟名、血液型、バーコード及び二次元コード）が印字できるようにされている。また、このリストバンド３０は、一端に長穴状のセット穴３８が１つ形成されるとともに、他端に長穴状のバンド穴４０、４０…が一定の間隔Ｐをもって複数形成されており、このセット穴３８とバンド穴４０をリストバンド用クリップ１０で留めることにより環状に巻き止められる。
【００２３】
次に、本実施の形態のリストバンド用クリップ１０を用いてリストバンド３０を手首に巻き付ける方法について説明する。
【００２４】
図８に示すように、まず、リストバンド３０の一端に形成されたセット穴３８にオスクリップ１２に形成された一方のボス２０Ａを通す。これにより、リストバンド用クリップ１０がリストバンド３０に取り付けられる。
【００２５】
次に、リストバンド３０を手首に巻き付け、リストバンド３０の他端に複数形成されたバンド穴４０、４０、…の２つに一対のボス２０Ａ、２０Ｂを通す。これにより、リストバンド３０が手首に巻きつけられる。この際、ボス２０Ａ、２０Ｂが通されたリストバンド４０は、オスクリップ１２に形成された凹部１８に嵌め込まれる。
【００２６】
次に、リストバンド用クリップ１０を折り畳み、オスクリップ１２の上面をメスクリップ１４で閉じる。ここで、リストバンド用クリップ１０を折り畳むと、メスクリップ１４に形成された凸部２２がオスクリップ１２に形成された凹部１８に嵌まり込む。これと同時に凹部１８に形成されたボス２０Ａ、２０Ｂの先端が凸部２２に形成されたボス収容穴２４Ａ、２４Ｂに収容される。これにより、リストバンド３０がオスクリップ１２とメスクリップ１４とで挟まれる。
【００２７】
また、リストバンド用クリップ１０を折り畳むと、メスクリップ１４に形成されたピン２６がオスクリップ１２に形成されたピン穴２８に嵌合する。これにより、リストバンド用クリップ１０が折り畳まれた状態で固定される。
【００２８】
以上により、リストバンド３０が手首に巻き付けられる。手首に巻き付けられたリストバンド３０は、２つのバンド穴４０、４０に一対のボス２０Ａ、２０Ｂが通されることにより、グラツキやガタツキ等を生じることなく、しっかりと手首に取り付けられる。
【００２９】
また、ボス２０Ａ、２０Ｂが通されたリストバンド３０は、オスクリップ１２に形成された凹部１８に嵌め込まれることから、これによってもグラツキやガタツキ等を生じることなく取り付けられる。
【００３０】
また、リストバンド用クリップ１０は、メスクリップ１４に形成されたピン２６をオスクリップ１２に形成されたピン穴２８に嵌合させることにより、折り畳まれたオスクリップ１２とメスクリップ１４とが繋ぎ止められるが、ピン２６はピン穴２８に嵌入することにより、その拡径部２６Ｂがピン穴２８内に形成された逆止片２８Ａ、２８Ａに係止されて、強固に抜けが防止される。これにより、一度取り付けられたリストバンド３０は、ハサミ等で切断しない限り取り外しができなくなり、病院等においても安全に使用することができる。
【００３１】
なお、本実施の形態では本発明を病院等で患者識別のために使用されるリストバンドに適用した例で説明したが、本発明の適用は、これに限定されるものではなく、遊園地等のアミューズメント施設で入場チケット等として使用されるリストバンドやスキー場等でリフト券等として使用されるリストバンドなど、あらゆる用途のリストバンドに適用することができる。
【００３２】
【発明の効果】
以上説明したように、本発明によれば、クリップに形成された一対の突起部をリストバンドに形成された２つのバンド穴に通して巻き止めることにより、グラツキやガタツキを生じさせることなく、しっかりとリストバンドを手首等に巻き付けることができるので、装着者に不快感等を与えることがない。また、突起部が通されたリストバンドを凹部に嵌め込むことにより、より確実にグラツキやガタツキを防止できる。基体を繋ぎ止めるピンに拡径部を形成するとともに、ピン穴に逆止片を形成することにより、クリップを取り外しできないように取り付けることができる。
【図面の簡単な説明】
【図１】リストバンド用クリップの一実施形態を示す斜視図
【図２】リストバンド用クリップの一実施形態を示す正面図
【図３】リストバンド用クリップの一実施形態を示す平面図
【図４】図３に示したリストバンド用クリップのＡ−Ａ断面図
【図５】図３に示したリストバンド用クリップのＢ−Ｂ断面図
【図６】折り畳んだ状態のリストバンド用クリップの断面図
【図７】リストバンドの構成を示す斜視図
【図８】クリップの取り付け方法を示す平面図
【符号の説明】
１０…リストバンド用クリップ、１２…オスクリップ、１４…メスクリップ、１６…ヒンジ部、１８…凹部、２０Ａ、２０Ｂ…ボス、２０ａ、２０ｂ…爪部、２２…凸部、２４Ａ、２４Ｂ…ボス収容穴、２６…ピン、２６Ａ…軸部、２６Ｂ…拡径部、２８…ピン穴、２８Ａ…逆止片、３０…リストバンド、３２…表示部、３８…セット穴、４０…バンド穴
【図１】
0004142884.tif 000002
【図２】
0004142884.tif 000003
【図３】
0004142884.tif 000004
【図４】
0004142884.tif 000005
【図５】
0004142884.tif 000006
【図６】
0004142884.tif 000007
【図７】
0004142884.tif 000008
【図８】
0004142884.tif 000009